(57)【要約】【課題】高負荷の作業において、エンジンガードからの排熱がキャブ内に侵入することを防止して、キャブ内の温度上昇を抑制することが可能な移動式クレーンを提供する。【解決手段】本発明の移動式クレーン１は、キャブ７と、キャブ７の後方に配備されたエンジンガード８とを有していて、エンジンガード８の内部には、前部に配備された作動油タンク９と、作動油タンク９の後側に配備されたエンジン１１と、エンジン１１の後部に配備され且つ冷却用の空気を吸入する吸気部１４とが順に配備されていて、作動油タンク９とエンジン１１との間の領域に配備され、且つ冷却した空気を外部へ排出する第１の排出部３０と、作動油タンク９の領域に配備され、且つ冷却した空気を外部へ排出する１又は複数の第２の排出部３１とを有しており、第２の排出部３１はエンジンガード８内を冷却した空気の排出方向が前後方向に沿った向きから外れる方向を向くように構成されている。【選択図】図２
2016079005.tif 000002
【特許請求の範囲】
【請求項１】
上部旋回体の幅方向一方側の前方に配備されると共にクレーン操作を行う操作部が設けられ且つ操作者が搭乗可能とされたキャブと、前記キャブの後方に配備されたエンジンガードとを有していて、
前記エンジンガードの内部には、当該エンジンガードの前部に配備された作動油タンクと、前記作動油タンクの後側に配備され且つクレーン操作の動力を発生するエンジンと、前記エンジンの後部に配備され且つ前記エンジンガード内に冷却用の空気を吸入する吸気部と、が配備されている移動式クレーンにおいて、
前記作動油タンクとエンジンとの間の領域に配備され、前記エンジンガード内の空気を外部へ排出する第１の排出部と、
前記作動油タンクの領域に配備され、前記エンジンガード内の空気を外部へ排出する１又は複数の第２の排出部と、を有しており、
前記第２の排出部は、前記エンジンガード内の空気の排出方向が前後方向に沿った向きから外れる方向を向くように構成されている
ことを特徴とする移動式クレーン。
【請求項２】
上部旋回体の幅方向一方側の前方に配備されると共にクレーン操作を行う操作部が設けられ且つ操作者が搭乗可能とされたキャブと、前記キャブの後方に配備されたエンジンガードとを有していて、
前記エンジンガードの内部には、当該エンジンガードの前部に配備された作動油タンクと、前記作動油タンクの後側に配備され且つクレーン操作の動力を発生するエンジンと、前記エンジンの後部に配備され且つ前記エンジンガード内に冷却用の空気を吸入する吸気部と、が配備されている移動式クレーンにおいて、
前記エンジンガードの前後方向中央部に配備され、前記エンジンガード内の空気を外部へ排出する第１の排出部と、
前記エンジンガードの前部に配備され、前記エンジンガード内の空気を外部へ排出する１又は複数の第２の排出部と、を有しており、
前記第２の排出部は、前記エンジンガード内の空気の排出方向が前後方向に沿った向きから外れる方向を向くように構成されている
ことを特徴とする移動式クレーン。
【請求項３】
前記第２の排出部から排出される前記エンジンガード内を冷却した空気の排出方向は、前記キャブに対して非指向とされていることを特徴とする請求項１又は２に記載の移動式クレーン。
【請求項４】
前記第２の排出部の開口面積は、前記第１の排出部の開口面積より小さいものとされていることを特徴とする請求項１〜３のいずれかに記載の移動式クレーン。
【請求項５】
前記第２の排出部は、前記エンジンガードの下壁面であって前記作動油タンクの下方に設けられ、且つ前記エンジンガード内を冷却した空気の排出方向が下向きとされていることを特徴とする請求項１〜４のいずれかに記載の移動式クレーン。
【請求項６】
前記第２の排出部は、前記エンジンガードの上壁面であって前記作動油タンクの上方に設けられ、且つ前記エンジンガード内を冷却した空気の排出方向が上向きとされていることを特徴とする請求項１〜４のいずれかに記載の移動式クレーン。
【請求項７】
前記エンジンガードの上壁面に開閉扉が設けられており、前記開閉扉の開口部が前記第２の排出部とされている請求項６に記載の移動式クレーン。
【請求項８】
前記第２の排出部は、前記エンジンガードの側壁面であって前記作動油タンクの側方に設けられ、且つ前記エンジンガード内を冷却した空気の排出方向が幅方向を向いていることを特徴とする請求項１〜４のいずれかに記載の移動式クレーン。
【請求項９】
前記第２の排出部が、前記作動油タンク内の作動油の状況を示すレベルゲージを確認するための開口部とされていることを特徴とする請求項８に記載の移動式クレーン。
【請求項１０】
前記エンジンガードと前記キャブ側とを連通し、且つ前記エンジンガードと前記キャブとの間を結ぶ配管及び／又は配線が挿通している連通孔が設けられており、
前記連通孔と前記配管及び／又は配線との間に形成された空隙が閉塞されていることを特徴とする請求項１〜９のいずれかに記載の移動式クレーン。
【請求項１１】
前記エンジンガード上に位置し前記キャブを向く方向とされた開口、及び／又は、前記エンジンガードと前記キャブ側とを連通する連通孔を、閉塞乃至は非形成とすることを特徴とする請求項１〜９のいずれかに記載の移動式クレーン。
【発明の詳細な説明】
【技術分野】
【０００１】
本発明は、エンジンガードからの排熱がキャブ（運転室）内に侵入することを防止して、キャブ内の温度上昇を抑制するようにした移動式クレーンに関する。
【背景技術】
【０００２】
クローラクレーンなどに代表される移動式クレーンは、例えば、数メートルから数十メートルに及ぶ長いブームを備え、このブームに備えられたフック装置を用いて様々な荷物を吊下する作業（クレーン作業）を行う。
また、移動式クレーン（以降、単にクレーンと呼ぶ）においては、クレーン作業とは別作業として、クレーンにバケットを取り付けて地盤の土壌を掘り起こす掘削作業（バケット作業）を行うことがある。このバケット作業とは、バケットを落下させて地盤に突き刺し、その後バケットを吊り上げて土壌を掘り起こす作業である。
【０００３】
このようなバケット作業は、クレーン作業に比べて高負荷の作業となる。クレーンが高負荷となった状況下では、バケットを吊下するワイヤを巻き上げるウインチは、非常に大きな力が必要となる。それ故、ウインチを駆動させるエンジンは非常に大きな力（トルク）を発生することになる。エンジンが非常に大きな力を発生すると、エンジン自体から大きな騒音が発生すると共に、エンジンの発熱量も非常に大きなものとなる。
【０００４】
このような多大な熱がキャブ（運転室）内に侵入した場合、キャブ内の温度が上昇してしまい、キャブ内のオペレータによるバケット操作などに支障が生じてしまう虞がある。
多大な発熱を伴うエンジンを効果的に冷却する技術としては、特許文献１に開示されたものがある。
特許文献１は、車体と、この車体にクレーン装置を備えて設けられた旋回可能な旋回台と、同じく上記車体にこの旋回台の後方もしくは前方に位置して設けられたエンジンルームと、このエンジンルームの前面および後面にそれぞれ設けられた冷却空気取入口および冷却空気排出口と、同じく上記エンジンルームの側面に上記旋回台の幅よりも側方に張り出て設けられ走行時の走行風をこのエンジンルーム内に吸入する走行風吸入口もしくは上記冷却空気取入口から取入れられた走行風をこのエンジンルームから排出する走行風排出口とを設けたホイールクレーンを開示する。
【先行技術文献】
【特許文献】
【０００５】
【特許文献１】実開昭５７−９７７２３号公報
【発明の概要】
【発明が解決しようとする課題】
【０００６】
クレーンにおいては、クレーン作業（特に、高負荷作業となるバケット作業）中に、エンジンからの騒音がキャブ（運転室）内に伝わらないようにする騒音対策のため、エンジンがエンジンガード内の後側に配備されているものもある。また、エンジンを冷却するラジエターやファン、また冷却風を取り入れる吸気開口部などは、エンジンよりさらに後方に配備されている。また、エンジンの前側、すなわちキャブに近い側のエンジンガード内には、クレーンに備えられた数々の油圧機器を動作させるための作動油が貯留された作動油タンクが配備されている。このように、キャブとエンジンとの間に作動油タンクが存在することで、エンジンで発生する騒音がキャブに伝播することを効果的に抑制している。
【０００７】
ところで、バケット作業中においては、クレーンに備えられた数々の油圧機器にも高い負荷がかかっている。このように、油圧機器に高い負荷がかかる状況下では、作動油が高温となり、結果的に作動油タンクやコントロールバルブは非常に高い熱量を有することとなる。
このような状況下となると、エンジンガード内の前側が非常に高温となると共に、エンジンガードの前側に配備されているキャブ内にもその高い熱が伝わるようになる。キャブ内が高温になると、キャブ内でブームの操作を行っているオペレータに悪影響を与えることとなる。
【０００８】
かかる状況（作動油タンクが非常に高い熱量をもち、この熱量がキャブ側に伝わってゆく状況）を回避しようとして、特許文献１の技術を用いようとしたとしても、以下の理由により、上記の不都合な状況を回避することは困難である。
なぜならば、特許文献１のクレーンには、同文献の第４図を参照するに、エンジンの前方であってキャブの近傍に作動油タンクが配備されていない。特許文献１を精査してみても、作動油タンクの配備位置は不明である。そのため、作動油タンクに付与された非常に高い熱をどのようにして外部へ排出しているかが不明であり、特許文献１の技術を利用することは困難である。
【０００９】
そもそも、特許文献１のクレーンは、同文献の第２図〜第４図を参照するに、旋回台の幅方向中央の後側にエンジンが配備され、そのエンジンの右斜め前方に運転室（キャブ）が配備されている。すなわち、同文献１のクレーンは、エンジンが旋回台の後側に配備されているものの、キャブとエンジン、及び作動油タンクが前後方向に並ぶように配備されておらず、本願発明が対象とするクレーンの構成を有していない。
【００１０】
つまり、特許文献１のクレーンは、本発明の対象となる移動式クレーンとは構成が全く異なるので、上記の不都合な状況を回避することは非常に困難である。
そこで本発明は、上記問題点に鑑み、特に高負荷の作業において、エンジンガードからの排熱がキャブ内に侵入することを防止して、キャブ内の温度上昇を抑制することが可能な移動式クレーンを提供することを目的とする。
【課題を解決するための手段】
【００１１】
上述の目的を達成するため、本発明においては以下の技術的手段を講じた。
本発明のかかる移動式クレーンは、上部旋回体の幅方向一方側の前方に配備されると共にクレーン操作を行う操作部が設けられ且つ操作者が搭乗可能とされたキャブと、前記キャブの後方に配備されたエンジンガードとを有していて、前記エンジンガードの内部には、当該エンジンガードの前部に配備された作動油タンクと、前記作動油タンクの後側に配備され且つクレーン操作の動力を発生するエンジンと、前記エンジンの後部に配備され且つ前記エンジンガード内に冷却用の空気を吸入する吸気部と、が配備されている移動式クレーンにおいて、前記作動油タンクとエンジンとの間の領域に配備され、前記エンジンガード内の空気を外部へ排出する第１の排出部と、前記作動油タンクの領域に配備され、前記エンジンガード内の空気を外部へ排出する１又は複数の第２の排出部と、を有しており、前記第２の排出部は、前記エンジンガード内の空気の排出方向が前後方向に沿った向きから外れる方向を向くように構成されていることを特徴とする。
【００１２】
本発明のかかる移動式クレーンは、上部旋回体の幅方向一方側の前方に配備されると共にクレーン操作を行う操作部が設けられ且つ操作者が搭乗可能とされたキャブと、前記キャブの後方に配備されたエンジンガードとを有していて、前記エンジンガードの内部には、当該エンジンガードの前部に配備された作動油タンクと、前記作動油タンクの後側に配備され且つクレーン操作の動力を発生するエンジンと、前記エンジンの後部に配備され且つ前記エンジンガード内に冷却用の空気を吸入する吸気部と、が配備されている移動式クレーンにおいて、前記エンジンガードの前後方向中央部に配備され、前記エンジンガード内の空気を外部へ排出する第１の排出部と、前記エンジンガードの前部に配備され、前記エンジンガード内の空気を外部へ排出する１又は複数の第２の排出部と、を有しており、前記第２の排出部は、前記エンジンガード内の空気の排出方向が前後方向に沿った向きから外れる方向を向くように構成されていることを特徴とする。
【００１３】
好ましくは、前記第２の排出部から排出される前記エンジンガード内を冷却した空気の排出方向は、前記キャブに対して非指向とされているとよい。
好ましくは、前記第２の排出部の開口面積は、前記第１の排出部の開口面積より小さいものとされているとよい。
好ましくは、前記第２の排出部は、前記エンジンガードの下壁面であって前記作動油タンクの下方に設けられ、且つ前記エンジンガード内を冷却した空気の排出方向が下向きとされているとよい。
【００１４】
好ましくは、前記第２の排出部は、前記エンジンガードの上壁面であって前記作動油タ
ンクの上方に設けられ、且つ前記エンジンガード内を冷却した空気の排出方向が上向きとされているとよい。
好ましくは、前記エンジンガードの上壁面に開閉扉が設けられており、前記開閉扉の開口部が前記第２の排出部とされているとよい。
【００１５】
好ましくは、前記第２の排出部は、前記エンジンガードの側壁面であって前記作動油タンクの側方に設けられ、且つ前記エンジンガード内を冷却した空気の排出方向が幅方向を向いているとよい。
好ましくは、前記第２の排出部が、前記作動油タンク内の作動油の状況を示すレベルゲージを確認するための開口部とされているとよい。
【００１６】
好ましくは、前記エンジンガードと前記キャブ側とを連通し、且つ前記エンジンガードと前記キャブとの間を結ぶ配管及び／又は配線が挿通している連通孔が設けられており、
前記連通孔と前記配管及び／又は配線との間に形成された空隙が閉塞されているとよい。
好ましくは、前記エンジンガード上に位置し前記キャブを向く方向とされた開口、及び／又は、前記エンジンガードと前記キャブ側とを連通する連通孔を、閉塞乃至は非形成とするとよい。
【発明の効果】
【００１７】
本発明の移動式クレーンによれば、特に高負荷の作業において、エンジンガードからの排熱がキャブ内に侵入することを防止して、キャブ内の温度上昇を抑制することができる。
【図面の簡単な説明】
【００１８】
【図１】本発明の実施形態によるクローラクレーンの全体構成を概略的に示す側面図である。
【図２】本発明の実施形態によるクローラクレーンの全体構成を概略的に示す後方斜視図である。
【図３】上部旋回体の構成を概略的に示す平面図である。
【図４】上部旋回体の構成を概略的に示す平面図及びＡ−Ａ断面図である。
【図５】図４のＢ−Ｂ矢視図である。
【図６】図４のＣ−Ｃ断面図である。
【図７】図６のＤ−Ｄ矢視図である。
【発明を実施するための形態】
【００１９】
以下、図面を参照しながら、本発明の実施形態を説明する。
本実施形態では、移動式クレーン１に備えられ、且つその移動式クレーン１内の空気を外部へ排出する排出部について説明するが、その前に、その排出部が設けられる移動式クレーン１（クローラクレーン）について図を基に説明する。
図１〜図４を参照して、本実施形態によるクローラクレーン１の構成を説明する。
【００２０】
図１、図２に示すように、クローラクレーン１（以下、単にクレーンという）は、上部旋回体３、及び上部旋回体３を旋回自在に下から支持するとともに走行を行う下部走行体２を備えている。また、上部旋回体３の幅方向中央の前方には、フック装置２２やバケット２３を吊りロープ２１を介して吊り下げるブーム２０が備えられている。そのブーム２０を操作する操作ユニットが内部に配備されたキャブ７（運転室）が、上部旋回体３の幅方向一方側（右側）の前方に搭載されている。
【００２１】
なお、本明細書では、下部走行体２の走行方向と上部旋回体３に備えられたブーム２０の軸長方向が一致する位置を、クローラクレーン１の基準位置（ホームポジション）とする。クローラクレーン１の基準位置において、上部旋回体３に搭載されているキャブ７側をクローラクレーン１の前方向とし、上部旋回体３に搭載されているカウンターウエイト１５側をクローラクレーン１の後方向とする。また、上部旋回体３の幅方向一方側をクローラクレーン１の右方向とし、上部旋回体３の幅方向他方側をクローラクレーン１の左方向とする。これは、キャブ７に搭乗したオペレータから見た方向と一致する。
また、図３〜図７に示す太実線の矢印は、空気（熱風）の流れを示すものである。
【００２２】
クレーン１の下部走行体２は、金属製の帯体を環状に形成してなる無限軌道（クローラ）を左右方向の両端にそれぞれ備え、このクローラにより地面を走行可能とされている。この下部走行体２の中央上部には、上部旋回体３を旋回自在に下から支持し、且つ上部旋回体３を上下方向軸心回りに旋回させる旋回手段（図示せず）が搭載されている。
上部旋回体３は、鋼材で形成され、前後方向に長尺で板状の枠体（ラダーフレーム）が３つ並列に連結された幅広の板材であって、右側から順に、右デッキフレーム４、旋回フレーム５、左デッキフレーム６とされている。これら３つのラダーフレームは、上部旋回体３の上面と下面が平面視で略矩形状の平面となるように、長さ、幅及び高さが略同じ寸法とされている。また、上部旋回体３の後方には、カウンターウエイト１５が配備されている。
【００２３】
右デッキフレーム４は、上部旋回体３の幅方向右側（一方側）に配備されるものであって、その上面の前部（上部旋回体３の幅方向一方側前側）にキャブ７（運転室）が搭載され、そのキャブ７の後方（上部旋回体３の幅方向一方側中途部〜後側）にエンジンガード８が搭載されている。
キャブ７は、内部が広い空間とされた金属製の筐体とされ、クレーン操作を行う操作部が設けられ且つ操作者が搭乗可能とされている。このキャブ７の前面及び左右側面には、オペレータの視界を確保するための窓が設けられていて、一方側の側面には乗降扉（ドア）が設けられている。
【００２４】
キャブ７の内部には、コントロールバルブの制御によりクレーン操作を行う操作部（操作ユニット）と、オペレータが着座可能な座席と、当該内部を冷やすエアコンとが配備されている。キャブ７の内部の座席に着座したオペレータは、操作部を操作することによりクレーン操作を行う。
エンジンガード８は、内部が前後方向に広い空間とされた金属製のケース体とされ、内部にエンジン１１、作動油タンク９などが格納されている。なお、エンジンガード８の前後方向及び左右方向は、クローラクレーン１の前後方向及び左右方向と一致する。
【００２５】
図３、図４に示すように、詳しくは、エンジンガード８の内部には、当該エンジンガード８の前部に配備された作動油タンク９と、作動油タンク９の後側に配備され且つクレーン操作の動力を発生するエンジン１１と、ファン１２と、ラジエター１３とが縦に並ぶように格納されている。
また、エンジンガード８の前側壁の幅方向左端部には、作動油タンク９内の作動油の貯留量を示すレベルゲージ１０を確認するための開口部が、設けられている。一方、エンジンガード８の後側壁には、エンジンガード８内に冷却用の空気を吸入する吸気部１４が配備されている。この吸気部１４は、エンジンガード８の後側壁に形成された孔乃至は開口であり、スリット状とされている。本実施形態においては、幅方向に細長のスリットが複数形成されている。
【００２６】
作動油タンク９は、側面視で、キャブ７とエンジン１１との間に挟まれるように配備されている。作動油タンク９は、数々の油圧機器を動作させるための作動油が内部に貯留されている。作動油タンク９は、油圧配管２７を介してコントロールバルブ（メインバルブ）に接続されている。
また、作動油タンク９の側壁には、貯留されている作動油の量を確認するレベルゲージ１０が備えられている。そのレベルゲージ１０は、前述した開口部を介して外部から目視確認される。
【００２７】
作動油タンク９に貯留されている作動油は、メインバルブが操作されることで、その供給先が変更され、数々の油圧機器の動作し、ブーム２０の姿勢変更やフック装置２２やバケット２３の吊下（クレーン作業）が行われる。
エンジン１１は、クレーン１の動力源であり、クローラを駆動させてクレーン１を走行させたり、ウインチを駆動させて吊りロープ２１の巻き取りや繰り出しを行って、フック装置２２又はバケット２３の引き上げや降下を行う。エンジン１１は、フック装置２２又はバケット２３の引き上げや降下を行う際に、非常に大きな力（トルク）を発生させているため、高い熱量を発生することとなる。エンジン１１の高い熱を除去するために、エン
ジン１１の内部には冷媒（冷却水）が流通している。また、エンジン１１の後方には、エンジン１１を冷却した後の冷媒を冷却するラジエター１３と、吸気部１４から吸入された冷却風をラジエター１３に吸引するように送風するファン１２が配備されている。
【００２８】
上述した右デッキフレーム４の左側であって、左デッキフレーム６との間には、旋回フレーム５が配備されている。旋回フレーム５の前部（上部旋回体３の幅方向中央前側）には、起伏自在のブーム２０が配備されていて、そのブーム２０の先端から吊りロープ２１を介して吊荷を吊るためのフック装置２２、及びバケット２３が吊り下げられている。また、ブーム２０の先端には、起伏ロープ２５が掛回されている。
【００２９】
また、旋回フレーム５には、起伏ロープ２５が掛回されたマスト２４と、起伏ロープ２５の巻き取りや繰り出しを行うことによりブーム２０を起伏させる起伏用ウインチが配備されている。また、旋回フレーム５の下部の中央は、下部走行体２の旋回手段を取り付ける旋回ユニット（図示せず）が配備されている。ブーム２０の後方には、ウインチが３つ（第１ウインチ１６、第２ウインチ１７、第３ウインチ１８）が前後方向に並ぶように搭載されている。
【００３０】
旋回フレーム５を挟んで右デッキフレーム４と左右対称に配備された左デッキフレーム６には、エンジン１１の燃料を貯留し且つその燃料を当該エンジン１１に供給する燃料タンクや、クレーン１を動作させるための機器や、キャブ７に配備されているエアコンの室外機（共に図示せず）などが搭載されている。そして、これら燃料タンク、機器、エアコンの室外機などは、内部が空洞状のカバー体１９に格納されている。
【００３１】
ところで、上述したクレーン１を用いて吊下作業を行っている時には、ブーム２０に高い負荷がかかっている。それ故、吊りロープ２１を巻き取るウインチにも高い負荷がかかる。特に、土壌を掘り起こすバケット作業時や、重い荷物を吊下するクレーン作業においては、ブーム２０及びウインチに非常に高い負荷がかかっており、そのウインチを駆動させて吊りロープ２１を巻き取るには大きな力が必要となる。そのため、ウインチを駆動させるエンジン１１は、大きな出力を発生させる。
【００３２】
しかし、大きな出力を発生させると、エンジン１１は、非常に高い熱量を発生することとなる。また、上記のバケット作業やクレーン作業においては、クレーン１に備えられた数々の油圧機器にも高い負荷がかかっている。このように、油圧機器に高い負荷がかかる状況下では、作動油も高温（９０℃近くに上昇することもある）となる。その結果、エンジン１１の前方に配備され、作動油を貯留する作動油タンク９も非常に高い熱量を有することとなる。
【００３３】
このような状況下となると、エンジンガード８内が非常に高温となると共に、エンジンガード８の前側に配備されているキャブ７内にもその高い熱が伝わるようになる。キャブ７内が高温になると、キャブ７内でブーム２０の操作を行っているオペレータに悪影響を与えることとなる。
本願発明者らは、鋭意研究を重ね、作動油タンク９が非常に高い熱量をもち、この熱量がキャブ７側に伝わってゆく状況を回避することができる、つまり内部の高い熱を効率的且つ素早く排出する排出部３０，３１（特に、第２の排出部３１）をエンジンガード８に設けることにした。
【００３４】
すなわち、本発明の移動式クレーン１におけるエンジンガード８内では、後から順に、吸気部１４、ラジエター１３、ファン１２、エンジン１１、作動油タンク９が配備されており、吸気部１４にて吸入された冷却用の空気は、エンジン１１を経た後、エンジン１１と作動油タンク９との間に該当するエンジンガード８の前後方向中央部に配備された第１の排出部３０から外部に排出されるが、この第１の排出部３０から排出されなかった空気は、作動油タンク９側に熱風として流れるようになる。
【００３５】
このような状況を想定し、本発明の移動式クレーン１では、エンジンガード８の前部側に、作動油タンク９の領域に配備され、吸気部１４から吸気され且つエンジンガード８内を冷却した空気を外部へ排出する１又は複数の第２の排出部３１を設けている。この第２の排出部３１は、エンジンガード８内を冷却した空気の排出方向が前後方向に沿った向きから外れる方向を向き、第２の排出部３１から排出される空気（熱風）の大部分がキャブ
７に向かず、側方に流れるような形状、配置とされている。
【００３６】
まず、エンジン１１より発生した高い熱を外部へ排出する第１の排出部３０について、図を基に説明する。
図２〜図４に示すように、第１の排出部３０は、主に、吸気部１４から吸気され且つエンジンガード８内に格納されているエンジン１１を冷却した空気を外部へ排出するものである。
【００３７】
第１の排出部３０は、エンジンガード８内と外部とが連通した状態であれば様々な形状のものが採用可能であるが、例えば、エンジンガード８の壁面に複数の孔を穿孔した多孔状（メッシュ状）のものや、エンジンガード８の壁面から幅方向の外部を向いたルーバー状の送風口（吹き出し口）などが挙げられる。
本実施形態においては、第１の排出部３０は、エンジンガード８の前後方向中央部の左側壁面に配備されている。すなわち、本実施形態の第１の排出部３０は、エンジン１１の前部とオーバーラップするように、エンジンガード８の左側壁面に設けられている（図４参照）。なお、図４に示すように、本実施形態では、第１の排出部３０をエンジンガード８の壁面（左側壁面）に１つ設けたが、２つ以上設けてもよい。
【００３８】
また、第１の排出部３０は、エンジンガード８内に格納されている作動油タンク９とエンジン１１との間の領域、例えば作動油タンク９の直後からエンジン１１の直前までの位置に該当するエンジンガード８の壁面（下壁面８ａ、上壁面８ｂ、左側壁面、右側壁面）のいずれかの位置に配備されていることが望ましい。
以上より、第１の排出部３０をエンジンガード８の壁面に配備することで、特にエンジン１１近傍に存在する高温の空気の大部分を効率的且つ素早く排出することが可能となる。
【００３９】
続いて、作動油タンク９の熱量がキャブ７側に伝わってゆく状況を回避するための第２の排出部３１について、図を基に説明する。
第２の排出部３１は、吸気部１４から吸気され且つエンジンガード８内を冷却した空気（熱風）を外部へ排出するものである。
詳しくは、第２の排出部３１は、作動油タンク９が有する高い熱量、すなわち作動油タンク９近傍に存在する高温の空気と、第１の排出部３０にて排出されずに作動油タンク９に流れてきた高温の空気の一部とを、外部へ排出するものである。
【００４０】
第２の排出部３１は、熱風の排出方向が前後方向に沿った向きから外れる方向、言い換えるとキャブ７に対して非指向となるように構成されている。具体的には、第２の排出部３１の排出方向は、吸気部１４から吸入された冷却用の空気がエンジン１１を経て作動油タンク９に向かって流れる方向、すなわちエンジンガード８の後部からキャブ７の後壁（背側）に向かう方向に対して交差する方向を向いている。
【００４１】
また、第２の排出部３１の開口面積は、第１の排出部３０の開口面積より小さいものとされている。
この第２の排出部３１は、作動油タンク９の領域に該当する位置のエンジンガード８の側壁に、１又は複数配備されている。
図４に示すように、本実施形態においては、第２の排出部３１は、エンジンガード８の前壁（キャブ７側を向く側壁）に１つ、またエンジンガード８の下壁（下部走行体２を向く側壁）に１つ配備されている。さらに、エンジンガード８の上壁に１つ配備されている。すなわち、本実施形態の第２の排出部３１は、エンジンガード８の下壁面８ａ、上壁面８ｂ、側壁面（前壁面８ｃ、右側壁、左側壁）の少なくとも１つ以上に配備されている。
【００４２】
まず、エンジンガード８の下壁面８ａに配備された第２の排出部３１ａについて、図を基に説明する。図５は、エンジンガード８の下壁面８ａを下方から見た平面図（図４のＢ−Ｂ矢視図）である。
図５に示すように、第２の排出部３１ａは、底面視で、エンジンガード８の下壁面８ａの幅方向中央から右側かけて配備されている。すなわち、第２の排出部３１ａは、作動油タンク９のレベルゲージ１０と幅方向反対側の下壁面８ａに配備されている。
【００４３】
具体的には、下壁面８ａに配備された第２の排出部３１ａは、複数の孔部が下壁面８ａ
に穿孔されたパンチングメッシュ（多孔板）とされていて、パンチングメッシュによりエンジンガード８内部と外部とが連通状態とされている。
また、第２の排出部３１ａの開口面積は、連通孔２６（詳細は後述）の断面積と同等あるいはそれ以上の面積であることが望ましい。その理由としては、連通孔に流れる空気を下方に逃がすためである。
【００４４】
第２の排出部３１ａは、エンジンガード８の下壁面８ａに穿孔された複数の孔が下方向を向くように配備されているため、エンジンガード８内において前方向に流れる空気（熱風）を下方向に向きを変えて、外部へ排出する。
なお、エンジンガード８の下壁面８ａに配備された第２の排出部３１ａは、複数の孔が下方向に形成され、熱風の大部分をエンジンガード８の下方に排出している。ところが、実際には、排出された熱風のうち、一部の熱風が前方向を向いて排出されることもある。しかしながら、本発明では、第２の排出部３１ａであるパンチングメッシュの孔を確実に下方向に形成しているため、エンジンガード８内を冷却した空気の排出方向が前後方向に沿った向きから外れる方向、言い換えれば、キャブ７を向かない方向となる。そのため、キャブ７への影響（キャブ７内の温度上昇）を最大限に抑えることができる。すなわち、排出された熱風の一部が前方向を向いていたとしても、熱風のほとんどが前後方向に沿った向きから外れる方向を向くため、本願発明が奏する作用効果は実現されることになる。
【００４５】
以上より、エンジンガード８の下壁面８ａに第２の排出部３１ａを配備することで、作動油タンク９近傍の熱風を効率よく且つ素早く排出することができ、作動油タンク９近傍の温度を低下させることが可能となる。エンジンガード８の下壁面８ａから熱風を効果的に排出することで、キャブ７に近く対面する位置にあるレベルゲージ１０確認用の開口部から排出される熱風の量を、可及的に少なくすることができる。
【００４６】
続いて、エンジンガード８の上壁面８ｂに配備された第２の排出部３１ｂについて、図を基に説明する。
図４、図７に示すように、第２の排出部３１ｂは、エンジンガード８の前部の上壁面８ｂ、すなわち作動油タンク９の上方に設けられている。それ故、この第２の排出部３１ｂから排出される熱風は、その排出方向が上向き（垂直方向）を向くことになり、第２の排出部３１ｂは、エンジンガード８の前方向に流れる熱風を上方向に向きを変えて、外部へ排出するものとなる。
【００４７】
本実施形態においては、第２の排出部３１ｂを開閉扉で構成している。すなわち、エンジンガード８の上壁面８ｂに開閉扉３１ｂを設け、その開閉扉３１ｂを開放することによりエンジンガード８内部と外部とが連通状態とし、エンジンガード８内の熱風を上方外部へ排出する構成としている。
開閉扉３１ｂ（第２の排出部）は、幅がエンジンガード８と略同じ幅で、前後方向の長さが作動油タンク９の前後方向の長さ（奥行き）と同じ長さとされている。
【００４８】
開閉扉３１ｂの開口面積は、作動油タンク９の上面と、その作動油タンク９の直ぐ上のエンジンガード８の上壁面８ｂとの幅Ｚ（隙間）以上であることが望ましい（図７参照）。
なお、開閉扉３１ｂの幅及び、前後方向の長さに関しては、作動油タンク９近傍の熱風を効率よく上方外部へ排出することができるのであれば、特に限定しない。
【００４９】
開閉扉３１ｂは、前端がエンジンガード８の上壁面８ｂの前縁部に幅方向軸心回りに枢支されている。それ故、この開閉扉３１ｂは、エンジンガード８の上壁面８ｂの前縁部を中心として上方に開放自在となっていて、作動油タンク９近傍の熱風を後方斜め上方へ排出する構成となっている。
以上より、エンジンガード８の上壁面８ｂに開閉扉３１ｂを配備することで、作動油タンク９近傍の熱風を効率よく上方外部へ排出し、作動油タンク９近傍の温度を低下させることができる。また、開閉扉３１ｂの排出方向を斜め後上方とすることで、キャブ７側（前側）に熱風を排出することなくなり、キャブ７内の温度上昇を防ぐことができる。さらに、開閉扉３１ｂから熱風を効果的に排出することで、キャブ７に近く対面する位置にあるレベルゲージ１０確認用の開口部から排出される熱風の量を、可及的に少なくすること
ができる。
【００５０】
また、雨天作業時には、開閉扉３１ｂを閉鎖しておくことで、エンジンガード８内に雨の侵入を防ぐことができる。
ところで、エンジンガード８の上壁面８ｂに配備する第２の排出部３１ｂとしては、エンジンガード８の上壁面８ｂに複数の孔部が穿孔されたパンチングメッシュを配備し、そのパンチングメッシュによりエンジンガード８内部と外部とが連通状態とする。そして、パンチングメッシュから所定の空間を空けた上方に、平板（ガードパネル）を配備して、エンジンガード８内に雨の侵入を防ぐための屋根を設けた構成を採用することができる。つまり、パンチングメッシュとガードパネルによる２重構造としてもよい。その場合、パンチングメッシュから排出された熱風は、パンチングメッシュとガードパネルとの間の所定の空間を通過し、外部へ排出される。
【００５１】
次に、エンジンガード８の側壁面に配備された第２の排出部３１ｃについて、図を基に説明する。この第２の排出部３１ｃは、エンジンガード８の前壁面８ｃ乃至は左右壁面に設けられるものであるが、本実施形態では、第２の排出部３１ｃがエンジンガード８の前壁面８ｃに形成された場合について説明する。図６は、エンジンガード８の前壁面８ｃの正面図（図４のＣ−Ｃ断面図）である。図７は、エンジンガード８前部の拡大図（図６のＤ−Ｄ矢視図）である。
【００５２】
図６，図７に示すように、前壁面８ｃに取り付けられた第２の排出部３１ｃは、作動油タンク９内の作動油の状況を示すレベルゲージ１０を確認するための開口部と供用とされている。
この開口部の元来の目的は、オペレータが外部から作動油タンク９のレベルゲージ１０を目視確認するためのものである。しかしながら、本実施形態では、レベルゲージ１０確認用の開口部を、エンジンガード８内を冷却した空気（熱風）を外部へ排出するための第２の排出部３１ｃとして利用している。
【００５３】
図３に示すように、本実施形態の場合、レベルゲージ１０確認用の開口部には、開口部全体をキャブ７に対して目隠しするような平面視で略コ字状のルーバーが取り付けられている。
ルーバーは、エンジンガード８の前壁面８ｃから前方に立設された一の壁面と、一の壁面の前端から左方向に屈曲した他の壁面とで構成されている。すなわち、ルーバーは、熱風（冷却後の空気）の排出方向が左方向（幅方向内側）を向いていて、エンジンガード８の前方向に流れる熱風を左方向に向きを変えて、外部へ排出する。言い換えると、ルーバーは、開口部から前方向を向いて排出された熱風をキャブ７の方向とは異なる方向（非指向）に案内して外部へ排出する。なお、開口部にルーバーが取り付いていたとしても、ルーバーの左側は開放状とされているため、オペレータがエンジンガード８の左側から作動油タンク９のレベルゲージ１０を目視確認する際の支障にはならない。
【００５４】
以上より、エンジンガード８の前壁面８ｃに第２の排出部３１ｃを設けることで、開口部から排出された熱風がキャブ７に吹き付けられることを防ぐことができ、キャブ７内の温度上昇を抑制させることが可能である。なお、以上述べた第２の排出部３１ｃは、その面積が上記の連通孔２６の面積と同等、乃至はやや広い面積とされていることが好ましい。
【００５５】
以上述べた第２の排出部３１ａ，３１ｂ，３１ｃに関しては、開口面積の合計が第１の開口部の３０の開口面積に対して、同等かそれ以下が望ましい。さらには、キャブ７内に騒音の侵入を防止するために、第２の排出部３１ａ，３１ｂ，３１ｃの開口面積の合計を、第１の開口部の３０の開口面積より小さくする方がより好ましい。また、第２の排出部３１ｂの開口面積は、第２の排出部３１ａ，３１ｂ，３１ｃの開口面積の合計に対して、広くしてもよいが、第２の排出部３１ａ，３１ｂの開口面積は、第２の排出部３１ａ，３１ｂ，３１ｃの開口面積の合計に対して、小さくした方がよい。
【００５６】
ところで、キャブ７とエンジンガード８の下壁面８ａ前側下方、すなわち右デッキフレーム３の前部近傍には、エンジンガード８とキャブ７側（正確には、キャブ７の床下の空間）とを連通する連通孔２６が設けられている。この連通孔２６には、例えばエンジンガ
ード８とキャブ７との間を結ぶ配管２７や配線などが挿通されている。
このように、配管２７や配線などが挿通された連通孔２６においては、連通孔２６の内壁と配管２７や配線との間に空隙が形成され、エンジンガード８からの熱風が空隙を伝ってキャブ７の床下、ひいてはキャブ７内に導入されることがある。このように導入された熱風により、キャブ７内の温度が上昇してしまう。
【００５７】
上述の不都合を防ぐために、連通孔２６内の空隙を、例えば発泡ウレタン、シール材、グロメットなどの閉塞部材３２で閉塞するとよい。この空隙を閉塞することで、キャブ７内にエンジンガード８内を流通した空気（熱風）が流入することを防ぐことができ、キャブ７内の温度上昇を抑制することができる。なお、エンジンガード８とキャブ７側とを連通するも、配管２７などが貫通していない連通孔２６に関しては、連通孔２６を閉塞部材３２で全て塞ぐようにするよい。
【００５８】
ところで、エンジンガード８に様々な目的で側壁面や上下壁面８ａ，８ｂに開口（例えば、内部点検用のための開口）などが形成されることがある。
しかしながら、かかる開口が、キャブ７を向くような位置、方向に形成されていた場合、エンジンガード８からの熱風が開口を介してキャブ７に吹き付けられ、キャブ７内の温度が上昇してしまう虞がある。そのため、エンジンガード８には、不要な開口を形成しないか、形成するにしても、開口の数や開口面積を可及的に小さくしたり、非使用時は閉塞状態とすることのできる開閉扉を開口に設けておくことが好ましい。また、開口を設ける場合、その開口がキャブ７に対面せず、キャブ７側を向かないものとすることが好ましい。
【００５９】
以上述べたように、エンジンガード８内の熱風を外部へ排出する排出部３０，３１、特に第２の排出部３１を備えた本発明にかかる移動式クレーン１によれば、特に高負荷の作業において、エンジンガード８からの排熱がキャブ７内に侵入することを防止して、キャブ７内の温度上昇を抑制することができる。
なお、今回開示された各実施形態は、すべての点で例示であって制限的なものではないと考えられるべきである。
【００６０】
例えば、本実施形態では、クローラクレーン１を例に挙げて説明したが、本発明の技術は上部旋回体３に前から、作動油タンク９、エンジン１１、ラジエター１３などの冷却装置の順で搭載されている全てのクレーン（移動式及びタワー式など）に適用可能である。
また、第２の排出部３１及び第１の排出部３０は、エンジンガード８内の熱風を効率よく外部へ排出する形状であれば、特に限定しない。
【００６１】
また、本実施形態では、第２の排出部３１がエンジンガード８の下壁面８ａ、上壁面８ｂ、前壁面８ｃの少なくともいずれかに設けられた事例を説明したが、第２の排出部３１をエンジンガード８の左壁面や右壁面に設けるようにしても、何ら問題はない。
特に、今回開示された各実施形態において、明示的に開示されていない事項、例えば、運転条件や操業条件、各種パラメータ、構成物の寸法、重量、体積などは、当業者が通常実施する範囲を逸脱するものではなく、通常の当業者であれば、容易に想定することが可能な値を採用している。
【符号の説明】
【００６２】
１  移動式クレーン（クレーン）
２  下部走行体（クローラ）
３  上部旋回体
４  右デッキフレーム
５  旋回フレーム
６  左デッキフレーム
７  キャブ（運転室）
８  エンジンガード
８ａ  下壁面
８ｂ  上壁面
８ｃ  前壁面
９  作動油タンク
１０  レベルゲージ
１１  エンジン
１２  ファン
１３  ラジエター
１４  吸気部
１５  カウンターウエイト
１６  第１ウインチ
１７  第２ウインチ
１８  第３ウインチ
１９  カバー体
２０  ブーム
２１  吊りロープ
２２  フック装置
２３  バケット
２４  マスト
２５  起伏ロープ
２６  連通孔
２７  配管
３０  第１の排出部
３１  第２の排出部
３１ａ  第２の排出部（エンジンガードの下壁面）
３１ｂ  第２の排出部（エンジンガードの上壁面、開閉扉）
３１ｃ  第２の排出部（エンジンガードの前壁面）
３２  閉塞部材
【図１】
2016079005.tif 000003
【図２】
2016079005.tif 000004
【図３】
2016079005.tif 000005
【図４】
2016079005.tif 000006
【図５】
2016079005.tif 000007
【図６】
2016079005.tif 000008
【図７】
2016079005.tif 000009